(57)【要約】【課題】網側で管理されている移動端末機の位置情報を利用し、監視対象として指定した任意の地域に対する移動端末機の出行及び入来に関する情報を取得することができる移動端末機情報サーバ装置及び端末位置監視システムを提供する。【解決手段】外部から監視地域の指示を受けると、監視地域に対応した無線エリアを有する基地局が、基地局データベースを用いて検索される。検索された基地局の基地局ＩＤは、監視基地局リストに登録される。監視基地局リストのものと同じ基地局ＩＤが登録されている端末ＩＤがホームメモリから抽出される。抽出された内容は、基地局ＩＤ及び履歴情報と共に、監視移動端末機リストに登録される。これによって、所定の時間に監視地域内に存在する移動端末機を特定することができる。以降、監視地域に対する特定された移動端末機の行動を、位置登録要求等を利用して監視・記録する。【選択図】　　　　図５
2004096458.tif 000002
【特許請求の範囲】
【請求項１】
基地局を介して移動端末機間の通信を行うシステムに構成され、基地局との通信によって移動端末機毎に通信可能な基地局を関連付けた端末位置情報を管理する移動端末機情報サーバ装置であって、
前記移動端末機の行動を監視する監視地域を入力し、無線エリアの全て又は一部が当該監視地域と一致する前記基地局を、監視基地局として設定する監視基地局設定部と、
前記端末位置情報を利用して、設定時に前記監視基地局内に存在する全ての前記移動端末機を監視移動端末機として特定し、当該監視移動端末機に関する情報を所定の監視移動端末機リストに登録する監視移動端末機登録部と、
前記移動端末機が通信可能な基地局を変更した場合、当該変更後の基地局からの要求に応じて前記端末位置情報を更新する端末位置情報管理部と、
前記端末位置情報管理部において前記監視移動端末機の前記端末位置情報が更新される毎に、前記監視移動端末機リストに当該監視移動端末機の行動履歴を記録する監視移動端末機管理部とを備える、移動端末機情報サーバ装置。
【請求項２】
前記端末位置情報の更新によって、前記監視移動端末機に関連付けられた基地局が前記監視基地局でなくなった場合、前記監視移動端末機管理部は、当該監視移動端末機が前記監視地域外へ移動した内容の履歴を前記監視移動端末機リストに記録することを特徴とする、請求項１に記載の移動端末機情報サーバ装置。
【請求項３】
前記端末位置情報の更新によって、前記監視移動端末機に関連付けられた基地局が他の前記監視基地局になった場合、前記監視移動端末機管理部は、当該監視移動端末機が前記監視地域内を移動した内容の履歴を前記監視移動端末機リストに記録することを特徴とする、請求項１に記載の移動端末機情報サーバ装置。
【請求項４】
前記監視移動端末機以外の移動端末機の前記端末位置情報が更新され、当該移動端末機に関連付けられた基地局が前記監視基地局になった場合、前記監視移動端末機管理部は、当該移動端末機を新たな監視移動端末機として前記監視移動端末機リストに追加することを特徴とする、請求項１に記載の移動端末機情報サーバ装置。
【請求項５】
前記監視基地局に対して位置登録指示要求を送信する要求出力部をさらに備え、
前記監視移動端末機管理部は、前記要求出力部から送信された前記位置登録指示要求に対して応答があった前記監視移動端末機について、位置登録応答があった内容の履歴を前記監視移動端末機リストに記録することを特徴とする、請求項１に記載の移動端末機情報サーバ装置。
【請求項６】
前記監視移動端末機との間で発着信が行われた場合、前記監視移動端末機管理部は、当該監視移動端末機に発着信があった内容の履歴を前記監視移動端末機リストに記録することを特徴とする、請求項１に記載の移動端末機情報サーバ装置。
【請求項７】
前記監視移動端末機への着信である場合、前記監視移動端末機管理部は、当該監視移動端末機が応答したか否かの履歴も前記監視移動端末機リストに記録することを特徴とする、請求項６に記載の移動端末機情報サーバ装置。
【請求項８】
複数の移動端末機と、
自局の無線エリア内に存在する前記移動端末機と通信を行う複数の基地局と、請求項１〜７のいずれかに記載の移動端末機情報サーバ装置とで構成される、端末位置監視システム。
【請求項９】
複数の移動端末機と、自局の無線エリア内に存在する移動端末機と通信を行う複数の基地局と、基地局との通信によって移動端末機毎に通信可能な基地局を関連付けた端末位置情報を管理する移動端末機情報サーバ装置とで構成されるシステムにおいて、移動端末機情報サーバ装置で実行される端末位置監視方法であって、
前記移動端末機の行動を監視する監視地域を入力するステップと、
無線エリアの全て又は一部が前記監視地域と一致する前記基地局を、監視基地局として設定するステップと、
前記端末位置情報を利用して、設定時に前記監視基地局内に存在する全ての前記移動端末機を監視移動端末機として特定するステップと、
前記監視移動端末機に関する情報を所定の監視移動端末機リストに登録するステップと、
前記移動端末機が通信可能な基地局を変更した場合、当該変更後の基地局からの要求に応じて前記端末位置情報を更新するステップと、
前記更新するステップで前記監視移動端末機の前記端末位置情報が更新される毎に、前記監視移動端末機リストに当該監視移動端末機の行動履歴を記録するステップとを備える、端末位置監視方法。
【請求項１０】
前記端末位置情報の更新によって、前記監視移動端末機に関連付けられた基地局が前記監視基地局でなくなった場合、前記記録するステップは、当該監視移動端末機が前記監視地域外へ移動した内容の履歴を前記監視移動端末機リストに記録することを特徴とする、請求項９に記載の端末位置監視方法。
【請求項１１】
前記端末位置情報の更新によって、前記監視移動端末機に関連付けられた基地局が他の前記監視基地局になった場合、前記記録するステップは、当該監視移動端末機が前記監視地域内を移動した内容の履歴を前記監視移動端末機リストに記録することを特徴とする、請求項９に記載の端末位置監視方法。
【発明の詳細な説明】
【０００１】
【発明の属する技術分野】
本発明は、移動端末機情報サーバ装置及び端末位置監視システム並びに端末位置監視方法に関し、より特定的には、基地局を介して移動端末機間の通信が行われる移動体通信システムにおいて、任意の時間に任意のエリア内に存在する複数の移動端末機の行動を監視するために、各移動端末機の位置及び行動履歴の情報を動的に管理する移動端末機情報サーバ装置、及び当該装置を構成に含む端末位置監視システム並びに端末位置監視方法に関する。
【０００２】
【従来の技術】
周知のように、携帯電話やＰＨＳ（パーソナル・ハンディホン・システム）等の移動端末機を用いた無線通信システムでは、必要な時に迅速に無線通信が行えるように、移動端末機がどの基地局が担当している無線エリア内にいるのかという位置情報を、網側に構成されたサーバ装置で常に管理している。このサーバ装置で管理されている移動端末機の位置情報を利用して、従来から移動端末機の位置監視を行うシステムが種々存在する。
【０００３】
例えば、サーバ装置であるＰＨＳサービスセンタと移動端末機であるＰＨＳ携帯端末とで構成される「位置情報システム」がある（特許文献１を参照）。
このシステムでは、ＰＨＳサービスセンタが、ＰＨＳ携帯端末の位置情報としてＰＨＳ基地局の基地局ＩＤをデータベースに記録する。そして、ＰＨＳサービスセンタは、あるＰＨＳ携帯端末から探索対象である特定のＰＨＳ携帯端末の端末ＩＤを受信すると、データベースに記録されている特定のＰＨＳ携帯端末の位置情報を、端末ＩＤを送信してきたＰＨＳ携帯端末へ返送する。このシステムによれば、ＰＨＳ携帯端末は、ＰＨＳサービスセンタに要求するだけで、特定のＰＨＳ携帯端末の位置情報を得ることができる。
【０００４】
また、サーバ装置と移動端末機とで構成される「作業経路異常検出装置及び作業経路異常検出システム」がある（特許文献２を参照）。
このシステムでは、移動端末機の作業経路が予めサーバ装置に登録される。そして、サーバ装置では、移動端末機から送信される位置情報を受信し、移動端末機の位置が予め登録された作業経路から外れているかどうかの判定を行う。このシステムによれば、サーバ装置に予め作業経路を登録すると共に、定期的に特定の移動端末機の位置監視を行うことにより、特定の移動端末機が予定外のアクシデントに遭遇している（事故に巻き込まれた）か等を推測することができる。
【０００５】
【特許文献１】
特開２０００−１９７１０１号公報
【特許文献２】
特開２００１−１５５２８０号公報
【０００６】
【発明が解決しようとする課題】
ところで、ある地域で地震や事故等の大規模な災害が発生した場合、災害地域に居合わせたと思われる人物の安否等を確認するための１つの手段として、移動端末機が使用される。ここで、確認する相手の移動端末機に発信して応答がある場合は問題ないのだが、応答がない場合にはその人物が災害地域に居るのかどうかさえ分からない。また、上述した特定の移動端末機の位置監視を追従して行うシステムに加入していれば、容易に相手の居場所が分かるが、災害地域に居合わせた全ての人が加入しているとは限らない。さらに、これらの確認方法は、基本的に個人対個人で行われるものであるため、災害発生によって一般通話が規制された時には、使用することができない。
【０００７】
このように災害が発生した場合、不特定多数の移動端末機のうち災害発生時に災害地域に存在していた移動端末機を特定できれば、その所有者が災害に巻き込まれた可能性が高いとの判断が可能であり、また、その特定した移動端末機の後の行動が分かれば、所有者の安否の判断に用いることもできる。
しかしながら、従来の技術において知り得る限りでは、移動端末機の位置情報を利用して、不特定多数の移動端末機について、監視対象として指定した任意の地域からの出行及び任意のエリアへの入来を監視する手法は、実用化はもちろんのこと発想すらされていない。
【０００８】
それ故に、本発明の目的は、網側で管理されている移動端末機の位置情報を利用し、監視対象として指定した任意の地域に対する移動端末機の出行及び入来に関する情報を取得して管理する移動端末機情報サーバ装置、及びこれらの情報を様々な場面で活用することができる端末位置監視システム並びに端末位置監視方法を提供することである。
【０００９】
【課題を解決するための手段及び発明の効果】
第１の発明は、基地局を介して移動端末機間の通信を行うシステムに構成され、基地局との通信によって移動端末機毎に通信可能な基地局を関連付けた端末位置情報を管理する移動端末機情報サーバ装置であって、
移動端末機の行動を監視する監視地域を入力し、無線エリアの全て又は一部が監視地域と一致する基地局を、監視基地局として設定する監視基地局設定部と、端末位置情報を利用して、設定時に監視基地局内に存在する全ての移動端末機を監視移動端末機として特定し、監視移動端末機に関する情報を所定の監視移動端末機リストに登録する監視移動端末機登録部と、
移動端末機が通信可能な基地局を変更した場合、変更後の基地局からの要求に応じて端末位置情報を更新する端末位置情報管理部と、
端末位置情報管理部において監視移動端末機の端末位置情報が更新される毎に、監視移動端末機リストに監視移動端末機の行動履歴を記録する監視移動端末機管理部とを備える。
【００１０】
上記のように、第１の発明によれば、移動端末機の位置情報を利用し、所定の監視地域内にいる不特定多数の移動端末機を特定することができる。また、移動端末機の位置登録動作を利用し、特定した移動端末機のその後の行動に関する情報を得ることができる。さらに、移動端末機側に特別な装置を設ける必要がなく、従来の基地局と移動端末機間の位置登録手順で得られた移動端末機の位置情報を利用するだけで容易に実現することができる。
【００１１】
第２の発明は、第１の発明に従属する移動端末機情報サーバ装置であって、
端末位置情報の更新によって、監視移動端末機に関連付けられた基地局が監視基地局でなくなった場合、監視移動端末機管理部は、監視移動端末機が監視地域外へ移動した内容の履歴を監視移動端末機リストに記録することを特徴とする。
【００１２】
第３の発明は、第１の発明に従属する移動端末機情報サーバ装置であって、
端末位置情報の更新によって、監視移動端末機に関連付けられた基地局が他の監視基地局になった場合、監視移動端末機管理部は、監視移動端末機が監視地域内を移動した内容の履歴を監視移動端末機リストに記録することを特徴とする。
【００１３】
第４の発明は、第１の発明に従属する移動端末機情報サーバ装置であって、
監視移動端末機以外の移動端末機の端末位置情報が更新され、移動端末機に関連付けられた基地局が監視基地局になった場合、監視移動端末機管理部は、移動端末機を新たな監視移動端末機として監視移動端末機リストに追加することを特徴とする。
【００１４】
上記のように、第２〜第４の発明によれば、所定の監視地域に対する特定の移動端末機の出行及び入来に関する情報を記録するので、監視地域を災害発生地域等に設定すれば、災害地域内における人物の行動を把握することが可能となる。
【００１５】
第５の発明は、第１の発明に従属する移動端末機情報サーバ装置であって、
監視基地局に対して位置登録指示要求を送信する要求出力部をさらに備え、
監視移動端末機管理部は、要求出力部から送信された位置登録指示要求に対して応答があった監視移動端末機について、位置登録応答があった内容の履歴を監視移動端末機リストに記録することを特徴とする。
【００１６】
上記のように、第５の発明によれば、移動端末機情報サーバ装置からの指示で監視地域内の移動端末機に位置登録要求を実行させることができるため、任意のタイミングで監視地域内に留まっている移動端末機の存在を確認することができる。
【００１７】
第６の発明は、第１の発明に従属する移動端末機情報サーバ装置であって、
監視移動端末機との間で発着信が行われた場合、監視移動端末機管理部は、監視移動端末機に発着信があった内容の履歴を監視移動端末機リストに記録することを特徴とする。
【００１８】
第７の発明は、第６の発明に従属する移動端末機情報サーバ装置であって、
監視移動端末機への着信である場合、監視移動端末機管理部は、監視移動端末機が応答したか否かの履歴も監視移動端末機リストに記録することを特徴とする。
【００１９】
上記のように、第６及び第７の発明によれば、移動端末機の発信／着信動作を利用し、監視地域に対する特定の移動端末機（ひいてはユーザ）の現状を知ることができる。
【００２０】
第８の発明は、複数の移動端末機と、
自局の無線エリア内に存在する移動端末機と通信を行う複数の基地局と、
請求項１〜７のいずれかに記載の移動端末機情報サーバ装置とで構成される、端末位置監視システムである。
【００２１】
第９の発明は、複数の移動端末機と、自局の無線エリア内に存在する移動端末機と通信を行う複数の基地局と、基地局との通信によって移動端末機毎に通信可能な基地局を関連付けた端末位置情報を管理する移動端末機情報サーバ装置とで構成されるシステムにおいて、移動端末機情報サーバ装置で実行される端末位置監視方法であって、
移動端末機の行動を監視する監視地域を入力するステップと、
無線エリアの全て又は一部が監視地域と一致する基地局を、監視基地局として設定するステップと、
端末位置情報を利用して、設定時に監視基地局内に存在する全ての移動端末機を監視移動端末機として特定するステップと、
監視移動端末機に関する情報を所定の監視移動端末機リストに登録するステップと、
移動端末機が通信可能な基地局を変更した場合、変更後の基地局からの要求に応じて端末位置情報を更新するステップと、
更新するステップで監視移動端末機の端末位置情報が更新される毎に、監視移動端末機リストに監視移動端末機の行動履歴を記録するステップとを備える。
【００２２】
第１０の発明は、第９の発明に従属する端末位置監視方法であって、
端末位置情報の更新によって、監視移動端末機に関連付けられた基地局が監視基地局でなくなった場合、記録するステップは、監視移動端末機が監視地域外へ移動した内容の履歴を監視移動端末機リストに記録することを特徴とする。
【００２３】
第１１の発明は、第９の発明に従属する端末位置監視方法であって、
端末位置情報の更新によって、監視移動端末機に関連付けられた基地局が他の監視基地局になった場合、記録するステップは、監視移動端末機が監視地域内を移動した内容の履歴を監視移動端末機リストに記録することを特徴とする。
【００２４】
【発明の実施の形態】
以下、本発明の実施の形態を、図面を参照しながら説明する。
図１は、本発明の一実施形態に係る端末位置監視システムの概略構成を示す図である。図１において、本実施形態に係る端末位置監視システムは、複数の移動端末機４と、自局の無線エリア３内にいる移動端末機４との無線回線設定及び制御を行う複数の基地局２と、移動端末機４毎に位置情報や加入者情報を管理する移動端末機情報サーバ装置１とで構成される。
図２は、移動端末機情報サーバ装置１の詳細な構成を示す図である。図２において、本実施形態の移動端末機情報サーバ装置１は、監視する基地局２の設定を行う監視地域受付部１１、監視基地局登録部１２、基地局データベース１３及び監視基地局リスト格納部１４と、監視する移動端末機４の登録／管理を行う監視移動端末機情報処理部１５及び監視移動端末機リスト格納部１６と、移動端末機４の位置情報の管理を行うホームメモリ管理部１７及びホームメモリ１８と、通信部１９と、位置登録指示要求部２０とを備える。
【００２５】
まず、移動端末機情報サーバ装置１において各移動端末機４の位置情報（端末位置情報）を管理する目的を説明する。
移動端末機４への着信を行う際に、移動端末機４の位置情報を網側の移動端末機情報サーバ装置１が知らない場合には、全ての無線エリア３において移動端末機４の呼び出し制御を行う必要がある。しかし、着信時にこのような呼び出し制御を行うことは、周波数利用上及び経済的な損失が大きい。このため、移動端末機情報サーバ装置１は、事前に各移動端末機４の位置情報を取得し、ホームメモリ１８に登録することを行う。このように、各移動端末機４の位置情報を登録しておくことで、移動端末機情報サーバ装置１は、必要な無線エリア３においてだけ移動端末機４の呼び出し制御を行うことができる。
【００２６】
次に、移動端末機情報サーバ装置１と移動端末機４との間で行われる位置情報登録処理を、図３及び図４をさらに参照して説明する。図３は、ホームメモリ１８に登録される端末位置情報３０の一例を示す図である。図４は、端末位置情報３０の登録処理において移動端末機情報サーバ装置１が行う処理手順を示すフローチャートである。
【００２７】
各基地局２は、制御チャネルを用いて、固有の無線エリア識別コードを自局の無線エリア３内に報知している。移動端末機４は、前回の登録処理によって取得及び記憶している無線エリア識別コードと現在報知されている無線エリア識別コードとを比較し、双方が一致しない場合には、無線エリア識別コードを報知している基地局２に対して位置登録要求を行う。位置登録要求を受けた基地局２は、位置登録要求を行った移動端末機４の端末ＩＤと自局の基地局ＩＤとを含む位置登録信号を、移動端末機情報サーバ装置１に送信する。
【００２８】
移動端末機情報サーバ装置１において、通信部１９は、基地局２から位置登録信号を受信する（ステップＳ４１）。ホームメモリ管理部１７は、通信部１９が受信した位置登録信号に含まれる端末ＩＤに対応するホームメモリ１８内の位置情報格納領域を検索する（ステップＳ４２）。そして、ホームメモリ管理部１７は、通信部１９が受信した位置登録信号に含まれる基地局ＩＤを、検索した位置情報格納領域に登録（更新）する（ステップＳ４３）。
このホームメモリ１８には、全ての移動端末機４すなわち端末ＩＤについて、端末ＩＤ毎に現在通信を行っている又は将来通信が行われる基地局２の基地局ＩＤや所定の加入者情報等が、端末位置情報３０として登録される（図３）。
【００２９】
そして、登録が完了した後、ホームメモリ管理部１７は、登録完了を伝える確認信号を通信部１９を介し基地局２へ送信する（ステップＳ４４）。基地局２は、移動端末機情報サーバ装置１から送信される確認信号を、移動端末機４に転送する。確認信号を受信した移動端末機４は、現在記憶している無線エリア識別コードを報知されている新しい無線エリア識別コードに書き換える。
上述した端末位置情報の登録動作は、移動端末機４が位置する無線エリア３が移り変わった時だけではなく、移動端末機４の電源が投入された直後にも行われる。
【００３０】
以下、上述のようにして登録された端末位置情報３０を利用して実現される本発明の端末位置監視手法を、図５〜図１２をさらに参照して説明する。
図５は、移動端末機情報サーバ装置１が行う監視基地局登録処理及び監視移動端末機登録処理の手順を示すフローチャートである。図６は、基地局データベース１３に格納される基地局情報テーブル６０の一例を示す図である。図７は、監視基地局リスト格納部１４に格納される監視基地局リスト７０の一例を示す図である。図８は、監視移動端末機リスト格納部１６に格納される監視移動端末機リスト８０の一例を示す図である。
【００３１】
まず、図５を参照して、初期設定である登録処理を説明する。
監視対象とする地域（以下、監視地域という）の指示が、外部から監視地域受付部１１に入力される（ステップＳ５１）。監視基地局登録部１２は、監視地域受付部１１を介して指示される監視地域に応じて、無線エリア３の全て又は一部がこの監視地域と一致する基地局２を、基地局データベース１３を用いて検索する（ステップＳ５２）。この基地局データベース１３には、基地局２毎に基地局ＩＤ、所在地及び無線エリア等を記録した基地局情報テーブル６０が格納されており、監視地域の住所や地名又は中心地点と半径等を指定することによって、該当する基地局２の検索を可能としている。監視基地局登録部１２は、基地局データベース１３から検索した基地局２の基地局ＩＤ及び基地局情報を取得し、監視基地局リスト格納部１４に送出する。監視基地局リスト格納部１４は、基地局ＩＤ及び基地局情報の項目からなる監視基地局リスト７０を格納・管理しており、監視基地局登録部１２から送出された内容を監視基地局リスト７０に登録する（ステップＳ５３）。なお、監視地域受付部１１に、監視対象とする基地局２の基地局ＩＤを直接入力して指示しても構わない。
【００３２】
監視移動端末機情報処理部１５は、監視基地局リスト７０に登録された基地局ＩＤと同じ基地局ＩＤが登録されている端末ＩＤをホームメモリ１８から検索し、検索した端末ＩＤ及び加入者情報（例えば、所有者名や他の連絡先）を抽出する（ステップＳ５４）。そして、監視移動端末機情報処理部１５は、抽出した端末ＩＤ及び加入者情報を基地局ＩＤ及び履歴情報と共に、監視移動端末機リスト格納部１６に送出する。監視移動端末機リスト格納部１６は、端末ＩＤ、基地局ＩＤ、加入者情報及び履歴情報の項目からなる監視移動端末機リスト８０を格納・管理しており、監視移動端末機情報処理部１５から送出された内容を監視移動端末機リスト８０に登録する（ステップＳ５５）。この履歴情報には、登録された端末ＩＤを持つ移動端末機４に関する処理や行動の内容が、その時間と共に記録される。従って、ステップＳ５５で監視対象となる移動端末機４の登録が行われる初期設定時（時刻Ｔ０とする）には、各移動端末機４の履歴情報には「Ｔ０：登録」という内容が記録される。
上記処理を実行することによって、所定の時間に監視地域内に存在する移動端末機４を特定することができる。
【００３３】
次に、図９〜図１２を参照して、移動端末機情報サーバ装置１で行われる端末移動監視手法を説明する。図９は、監視移動端末機情報処理部１５が行う端末移動監視の処理手順を示すフローチャートである。図１０は、監視移動端末機情報処理部１５が行う端末通信監視の処理手順を示すフローチャートである。図１１及び図１２は、監視移動端末機リスト８０の更新例を示す図である。この図１１及び図１２の例は、監視地域が基地局Ｂ（基地局ＩＤ「ｂ」）及び基地局Ｃ（基地局ＩＤ「ｃ」）の無線エリアの場合であって、初期登録処理時には、基地局Ａの無線エリアには移動端末機Ｘが、基地局Ｂの無線エリアには移動端末機Ｙが、基地局Ｃの無線エリアには移動端末機Ｚが、それぞれ存在していた場合を示している。
【００３４】
（１）端末移動監視
図９を参照して、移動端末機４の移動に応じて基地局２から送信される位置登録信号は、通信部１９を介して受信され、ホームメモリ管理部１７及び監視移動端末機情報処理部１５に送出される（ステップＳ９１）。ホームメモリ管理部１７は、上述した位置登録処理を実行する。監視移動端末機情報処理部１５は、位置登録信号に含まれる端末ＩＤが、監視移動端末機リスト８０に登録されている端末ＩＤか否かを確認する（ステップＳ９２）。監視移動端末機リスト８０に登録されている端末ＩＤであると確認した場合、監視移動端末機情報処理部１５は、位置登録信号に含まれる基地局ＩＤが、監視基地局リスト７０に登録されている基地局ＩＤか否かをさらに確認する（ステップＳ９３）。そして、監視移動端末機情報処理部１５は、基地局ＩＤの登録有無を確認した結果に応じて、監視移動端末機リスト８０における該当する端末ＩＤの基地局ＩＤの登録内容を更新（変更、削除）すると共に、対応する履歴情報を追加する（ステップＳ９４，Ｓ９５）。
例えば、時刻Ｔｎに、移動端末機Ｙが基地局Ｂの無線エリアから基地局Ｃの無線エリアに移動した場合には、監視移動端末機リスト８０における端末ＩＤ「ｙ」の基地局ＩＤが「ｂ」から「ｃ」に更新され、履歴情報に「Ｔｎ：監視地域内を移動」の内容が追加される（ステップＳ９４、図１１−▲１▼）。また、時刻Ｔｎに、移動端末機Ｙが基地局Ｂの無線エリアから基地局Ｄの無線エリアに移動した場合には、監視移動端末機リスト８０における端末ＩＤ「ｙ」の基地局ＩＤが「ｂ」から「−（なし）」に更新され、履歴情報に「Ｔｎ：監視地域外へ移動」の内容が追加される（ステップＳ９５、図１１−▲２▼）。
【００３５】
一方、上記ステップＳ９２において監視移動端末機リスト８０に登録されていない端末ＩＤであると判断した場合、監視移動端末機情報処理部１５は、位置登録信号に含まれる基地局ＩＤが、監視基地局リスト７０に登録されている基地局ＩＤか否かをさらに確認する（ステップＳ９６）。そして、監視基地局リスト７０に登録されている基地局ＩＤであると判断した場合、監視移動端末機情報処理部１５は、監視移動端末機リスト８０に当該端末ＩＤの追加登録を行う（ステップＳ９７）。
例えば、時刻Ｔｎに、移動端末機Ｘが基地局Ａの無線エリアから基地局Ｃの無線エリアに移動した場合には、監視移動端末機リスト８０に端末ＩＤ「ｘ」に関する記録、基地局ＩＤ「ｃ」、加入者情報及び履歴情報「Ｔｎ：登録」が追加される（ステップＳ９７、図１１−▲３▼）。
【００３６】
（２）端末通信監視
図１０を参照して、ある移動端末機４について通信部１９を介した通信が発生した場合（ステップＳ１０１）、監視移動端末機情報処理部１５は、この移動端末機４の端末ＩＤが監視移動端末機リスト８０に登録されている端末ＩＤか否かを確認する（ステップＳ１０２）。監視移動端末機リスト８０に登録されている端末ＩＤであると確認した場合、監視移動端末機情報処理部１５は、発生した通信が移動端末機４からの発信か移動端末機４への着信かを確認する（ステップＳ１０３）。移動端末機４からの発信であると判断した場合、監視移動端末機情報処理部１５は、監視移動端末機リスト８０における該当する端末ＩＤの履歴情報を追加する（ステップＳ１０７）。
例えば、時刻Ｔｎに、移動端末機Ｙが他の移動端末機に向けて発信した場合には、監視移動端末機リスト８０における端末ＩＤ「ｙ」の履歴情報に「Ｔｎ：発信あり」の内容が追加される（ステップＳ１０７、図１２−▲１▼）。
【００３７】
一方、上記ステップＳ１０３において移動端末機４への着信であると判断した場合、監視移動端末機情報処理部１５は、この着信に対して移動端末機４が応答したか否かをさらに確認する（ステップＳ１０４）。そして、監視移動端末機情報処理部１５は、移動端末機４による応答有無を確認した結果に応じて、監視移動端末機リスト８０における該当する端末ＩＤの履歴情報を追加する（ステップＳ１０５，Ｓ１０６）。
例えば、時刻Ｔｎに、他の移動端末機から移動端末機Ｙに向けて着信があり、移動端末機Ｙが応答した場合には、監視移動端末機リスト８０における端末ＩＤ「ｙ」の履歴情報に「Ｔｎ：着信あり、応答あり」の内容が追加される（ステップＳ１０５、図１２−▲２▼）。また、時刻Ｔｎに、他の移動端末機から移動端末機Ｙに向けて着信があり、移動端末機Ｙが応答しなかった場合には、監視移動端末機リスト８０における端末ＩＤ「ｙ」の履歴情報に「Ｔｎ：着信あり、応答なし」の内容が追加される（ステップＳ１０６、図１２−▲３▼）。
【００３８】
（３）位置登録応答監視
位置登録指示要求部２０は、任意のタイミングで通信部１９を介して、監視基地局リスト７０に登録されている基地局２へ位置登録指示要求信号を送信する。位置登録指示要求信号を受信した基地局２は、位置登録指示信号を自局の無線エリア３内に送信する。位置登録指示信号を受信した移動端末機４は、基地局２に対して位置登録要求を行う。つまり、移動端末機４が無線エリアを移動しなくても、移動端末機情報サーバ装置１からの指示により、移動端末機４に位置登録要求を実行させる。監視移動端末機情報処理部１５は、基地局２からホームメモリ管理部１７へ送信される位置登録信号を取得し、その位置登録信号に含まれる端末ＩＤについて監視移動端末機リスト８０の履歴情報に「位置登録応答あり」を追加する。
【００３９】
なお、上記実施例では、監視によって得られた移動端末機４の行動内容が、監視移動端末機リスト８０の履歴情報に順次追加される、すなわち累積的に記録されるように述べたが、既存の履歴情報に上書きして最新の履歴情報だけを残すようにしても構わない。
また、移動端末機４が監視地域外へ移動した場合には、その移動端末機４を監視移動端末機リスト８０から削除して監視対象外としてもよい。
【００４０】
以上のように、本発明の一実施形態に係る端末位置監視システム及び方法によれば、ホームメモリに登録されている移動端末機の位置情報を利用し、所定の監視地域内にいる不特定多数の移動端末機を特定することができる。また、移動端末機の位置登録動作を利用し、監視地域に対する特定の移動端末機の出行及び入来に関する情報を得ることができる。また、移動端末機の発信／着信動作を利用し、監視地域に対する特定の移動端末機（ひいてはユーザ）の現状を知ることができる。さらに、移動端末機情報サーバ装置からの指示で監視地域内の移動端末機に位置登録要求を実行させることができるため、任意のタイミングで監視地域内に留まっている移動端末機の存在を確認することができる。
また、本発明の端末位置監視システム及び方法は、移動端末機側に特別な装置を設ける必要がなく、従来の基地局と移動端末機間の位置登録手順で得られた移動端末機の位置情報を利用するだけで容易に実現することができる。
【００４１】
本発明の端末位置監視システム及び方法を効果的に使用できる事例としては、災害発生時の被害者特定等が考えられる。地震や事故等の災害では、被害者を予め特定することは不可能であり、また被害者が移動端末機を携帯していても、何らかの理由により移動端末機を操作することできず、救援を呼ぶことができない場合が考えられる。
本発明によれば、災害が発生した場合に、災害発生地域を監視地域に指定して監視地域内の移動端末機を特定することにより、移動端末機のユーザが特別な操作を行うことなく、災害に巻き込まれたユーザを特定することができる。また、監視地域に対する移動端末機の出行及び入来に関する情報から、例えば災害発生から監視地域内に留まっている移動端末機を特定することや、災害発生後に監視地域から移動した移動端末機を特定することができる。さらに、システム管理者側から監視地域内の移動端末機に関する端末所有者氏名等の加入者情報を一般に広く公開すれば、災害発生時の被害者特定システムとして効果が大きい。
【図面の簡単な説明】
【図１】本発明の一実施形態に係る端末位置監視システムの概略構成を示す図である。
【図２】移動端末機情報サーバ装置１の詳細な構成を示す図である。
【図３】ホームメモリ１８に登録される端末位置情報３０の一例を示す図である。
【図４】端末位置情報３０の登録処理において移動端末機情報サーバ装置１が行う手順を示すフローチャートである。
【図５】移動端末機情報サーバ装置１が行う監視基地局登録処理及び監視移動端末機登録処理の手順を示すフローチャートである。
【図６】基地局データベース１３に格納される基地局情報テーブル６０の一例を示す図である。
【図７】監視基地局リスト格納部１４に格納される監視基地局リスト７０の一例を示す図である。
【図８】監視移動端末機リスト格納部１６に格納される監視移動端末機リスト８０の一例を示す図である。
【図９】監視移動端末機情報処理部１５が行う端末移動監視の手順を示すフローチャートである。
【図１０】監視移動端末機情報処理部１５が行う端末通信監視の手順を示すフローチャートである。
【図１１】監視移動端末機リスト８０の更新例を示す図である。
【図１２】監視移動端末機リスト８０の他の更新例を示す図である。
【符号の説明】
１…移動端末機情報サーバ装置
２…基地局（Ａ〜Ｄ）
３…無線エリア
４…移動端末機（Ｘ〜Ｚ）
１１…監視地域受付部
１２…監視基地局登録部
１３…基地局データベース
１４…監視基地局リスト格納部
１５…監視移動端末機情報処理部
１６…監視移動端末機リスト格納部
１７…ホームメモリ管理部
１８…ホームメモリ
１９…通信部
２０…位置登録指示要求部
３０…端末位置情報
６０…基地局情報テーブル
７０…監視基地局リスト
８０…監視移動端末機リスト
【図１】
2004096458.tif 000003
【図２】
2004096458.tif 000004
【図３】
2004096458.tif 000005
【図４】
2004096458.tif 000006
【図５】
2004096458.tif 000007
【図６】
2004096458.tif 000008
【図７】
2004096458.tif 000009
【図８】
2004096458.tif 000010
【図９】
2004096458.tif 000011
【図１０】
2004096458.tif 000012
【図１１】
2004096458.tif 000013
【図１２】
2004096458.tif 000014